(57)【要約】【課題】空調装置付きベッドにおいて、ベッドメーキング作業の円滑化を図ることである。【解決手段】空調装置付きベッド（1）は、寝台部（11）及びヘッドボード（20）を有するベッド本体（10）と、寝台部（11）に収納された脚側空調手段（51）及びヘッドボード（20）に収納された頭側空調手段（60）を有する空調装置（50）とを備えている。寝台部（11）は、寝台部本体（11a）と、マットレス（13）を載置するための床板部材（15）と、寝台部本体（11a）の頭側から脚側へ向かう方向に延びるように寝台部本体（11a）の両側部に設けられて床板部材（15）の両側端部を支持する一対の桟（12）とを備えている。床板部材（15）は、一対の桟（12）に沿ってスライドし、寝台部本体（11a）に対して寝台部（11）の頭側から脚側へ向かう方向に進退自在に移動する。【選択図】図９
2007244425.tif 000002
【特許請求の範囲】
【請求項１】
就寝者がマットレス（13）を介して横臥する寝台部（11）及び該寝台部（11）における就寝者の頭側の端部に配置されるヘッドボード（20）を有するベッド本体（10）と、上記ベッド本体（10）に収納され、就寝者の頭側及び脚側の空気調和を行う空調装置（50）とを備えた空調装置付きベッドであって、
上記寝台部（11）は、寝台部本体（11a）と、該寝台部本体（11a）に設けられて上記マットレス（13）を載置するための床板部材（15）と、上記寝台部本体（11a）に対して上記床板部材（15）を上記寝台部（11）の頭側から脚側へ向かう方向に進退自在に支持する支持部材（12,28）とを備えている
ことを特徴とする空調装置付きベッド。
【請求項２】
請求項１において、
上記空調装置（50）は、就寝者の頭側の空気調和を行う頭側空調手段（60）及び就寝者の脚側の空気調和を行う脚側空調手段（51）とを備え、
少なくとも上記脚側空調手段（51）は、上記寝台部（11）に収納されている
ことを特徴とする空調装置付きベッド。
【請求項３】
請求項２において、
上記頭側空調手段（60）は、上記ヘッドボード（20）に収納されている
ことを特徴とする空調装置付きベッド
【請求項４】
請求項１において、
上記寝台部（11）と上記ヘッドボード（20）とは、一体に固着されている
ことを特徴とする空調装置付きベッド。
【請求項５】
請求項１において、
上記ベッド本体（10）は、上記床板部材（15）を寝台部本体（11a）に固定するための固定手段（12a）を備えている
ことを特徴とする空調装置付きベッド。
【請求項６】
請求項１において、
上記支持部材（12,28）は、上記寝台部本体（11a）の頭側から脚側へ向かう方向に延びるように寝台部本体（11a）の両側部に設けられて上記床板部材（15）の両側端部を支持する一対の桟（12）で構成されている
ことを特徴とする空調装置付きベッド。
【請求項７】
請求項１において、
上記支持部材（12,28）は、上記寝台部本体（11a）に設けられて上記床板部材（15）の下面と接して回転するローラ（28）で構成されている
ことを特徴とする空調装置付きベッド。
【発明の詳細な説明】
【技術分野】
【０００１】
本発明は、就寝者の頭側及び脚側の空気調和を行う空調装置付きベッドに関し、特に、ベッドメーキング対策に係るものである。
【背景技術】
【０００２】
従来から、就寝者の頭側及び脚側の空気調和を行う空調装置付きベッドが知られている（例えば、特許文献１）。
【０００３】
特許文献１の睡眠カプセルは、睡眠用のマットが設置される床台（寝台部）及びヘッドボードを兼用する空気流出入部を備えたカプセル本体と、カプセル本体を覆う覆い部材と、頭部空調手段及び足部空調手段とを備えている。
【０００４】
上記マットは、床台の上面よりも小さく形成され、上記空気流出入部に当接して配置され、マットレスから露出した床台の上面には、足部空調手段の吹出口及び吸込口が形成されいてる。一方、上記空気流出入部には、頭部空調手段の吹出口及び吸込口が形成されいてる。
【０００５】
各空調手段は、床台に収納された空調ユニットを備えている。各空調ユニットは、１つのケース内の空気通路に配置される空調ファンと、排熱通路に配置される排熱ファンと、両通路に跨る熱電素子とを備えている。また、頭部空調手段では、空調ユニットの空気通路が上記空気流出入部に接続される一方、足部空調手段では、空調ユニットの空気通路が床台上面の吹出口及び吸込口に接続されている。
【０００６】
このような構成により、就寝時には、就寝者の頭側において、頭部空調手段の空調ユニットで生成された調和空気が、空気流出入部の吹出口から供給された後に吸込口に吸い込まれる一方、就寝者の脚側において、脚部空調手段の空調ユニットで生成された調和空気が床台の吹出口から供給された後に吸込口に吸い込まれ、頭側及び脚側の空気調和が個別に行われる。
【０００７】
また、空調装置付きベッドには、寝台部に脚側空調手段が収納される一方、ヘッドボードに頭側空調手段が収納されたものが検討されている（特願２００６−２３１２５）。
【０００８】
ところで、空調装置付きベッドを、ホテルなどの施設などで用いる場合、ベッドメーキング作業が毎日のように行われる。空調装置を有しないベッドでは、従来から、ベッドメーキング作業の円滑化についての検討が行われている（例えば、特許文献２）。
【０００９】
特許文献２に記載のベッドは、ベッドボトム（寝台部）とベッドマット（マットレス）とからなり、就寝時には、別体のヘッドボードに当接する一方、ベッドメーキング時には、ヘッドボードから離隔される。これにより、マットレスをヘッドボードから離隔することができるので、マットレスの四側面全てが露出した状態となり、マットレスのシーツ交換などのベッドメーキング作業が円滑に行われる。
【特許文献１】特開２００６−１０２８０号公報
【特許文献２】特許２８０９８０３号公報
【発明の開示】
【発明が解決しようとする課題】
【００１０】
しかしながら、従来の空調装置付きベッドでは、寝台部に少なくとも脚側空調ユニットが収納されているために、寝台部の重量が非常に重くなり、該寝台部をヘッドボードから離隔するために移動させることが困難であった。更に、ヘッドボードに頭側空調ユニットが収納されている場合は、ヘッドボードの重量も非常に重くなり、ヘッドボードを寝台部から離隔するために移動させることも困難であった。また、ヘッドボード及び寝台部のそれぞれに収納された空調ユニットが配線接続されている場合や、ベッド本体内の空調ユニットが室内の電源に配線接続されている場合は、ヘッドボードや寝台部を移動させると、配線接続が切断される虞があった。
【００１１】
更に、空調装置付きベッドでは、各ユニット間の配線や空気通路の構成上、ヘッドボードと寝台部とが一体に固着されているものもあった。
【００１２】
このように、空調装置付きベッドでは、ベッド本体の重量、空調装置の配線及び空気通路の構成などにより、寝台部とヘッドボードとの離隔が困難又は不可能であったために、マットレスをヘッドボードから容易に離隔させることができなかった。つまり、マットレスの四側面全てを容易に露出させることができないので、ベッドメーキングを円滑に行うことができないという問題点があった。
【００１３】
本発明は、かかる点に鑑みてなされたものであり、就寝者の頭側及び脚側の空気調和を行う空調装置付きベッドにおいて、寝台部とヘッドボードとを離隔することなく、ベッドメーキング作業の円滑化を図ることを目的とする。
【課題を解決するための手段】
【００１４】
第１の発明は、就寝者がマットレス（13）を介して横臥する寝台部（11）及び該寝台部（11）における就寝者の頭側の端部に配置されるヘッドボード（20）を有するベッド本体（10）と、上記ベッド本体（10）に収納され、就寝者の頭側及び脚側の空気調和を行う空調装置（50）とを備えた空調装置付きベッドであって、上記寝台部（11）は、寝台部本体（11a）と、該寝台部本体（11a）に設けられて上記マットレス（13）を載置するための床板部材（15）と、上記寝台部本体（11a）に対して上記床板部材（15）を上記寝台部（11）の頭側から脚側へ向かう方向に進退自在に支持する支持部材（12,28）とを備えている。
【００１５】
この第１の発明では、ベッドメーキングの際は、上記床板部材（15）を就寝時に用いられる通常の位置から、寝台部本体（11a）に対して寝台部（11）の脚側の方向へ移動させることにより、マットレス（13）をヘッドボード（20）から離隔する。これにより、マットレス（13）の四側面全てが露出された状態となり、ベッドメーキングが行われる。また、ベッドメーキングが終われば、床板部材（15）を寝台部本体（11a）に対して寝台部（11）の頭側の方向へ移動させ、就寝時に用いられる通常の位置に戻す。
【００１６】
なお、ここでいうマットレス（13）とは、就寝時に就寝者の下に敷かれるものをいう。つまり、就寝者が床板部材（15）に敷き布団を介して横臥する場合は、敷き布団がマットレス（13）である。
【００１７】
第２の発明は、第１の発明において、上記空調装置（50）は、就寝者の頭側の空気調和を行う頭側空調手段（60）及び就寝者の脚側の空気調和を行う脚側空調手段（51）とを備え、少なくとも上記脚側空調手段（51）は、上記寝台部（11）に収納されている。
【００１８】
この第２の発明では、上記寝台部（11）には、少なくとも脚側空調手段（51）が収納されているので、上記寝台部（11）の重量が非常に重くなるが、ベッドメーキングの際には、非常に重い寝台部（11）全体を移動させることなく、上記床板部材（15）を移動させることにより、マットレス（13）をヘッドボード（20）から離隔する。
【００１９】
第３の発明は、第２の発明において、上記頭側空調手段（60）は、上記ヘッドボード（20）に収納されている。
【００２０】
この第３の発明では、ヘッドボード（20）に頭側空調手段（60）が収納されているので、寝台部（11）に加え、ヘッドボード（20）の重量も非常に重くなるが、ベッドメーキングの際には、非常に重い寝台部（11）全体又はヘッドボード（20）を移動させることなく、上記床板部材（15）を移動させることにより、マットレス（13）をヘッドボード（20）から離隔する。
【００２１】
また、ヘッドボード（20）内の上記頭側空調手段（60）と寝台部（11）内の脚側空調手段（51）とが配線接続されている場合であっても、ベッドメーキングの際に、寝台部（11）全体とヘッドボード（20）とが離隔されることがないので、配線の接続が切断される虞がない。
【００２２】
第４の発明は、第１の発明において、上記寝台部（11）と上記ヘッドボード（20）とは、一体に固着されている。
【００２３】
この第４の発明では、上記寝台部（11）全体を上記ヘッドボード（20）から離隔することができない構成であるが、ベッドメーキングの際には、上記床板部材（15）を移動させてマットレス（13）をヘッドボード（20）から離隔する。
【００２４】
なお、この第４の発明において、上記寝台部（11）と上記ヘッドボード（20）とは、空調装置（50）の空気通路、機器及び配線の配置等の構成により、必然的に一体に固着されている場合と、単に寝台部（11）とヘッドボード（20）との相対的な位置ずれが生じないようにするために一体に固着されている場合などがある。
【００２５】
第５の発明は、第１の発明において、上記ベッド本体（10）は、上記床板部材（15）を寝台部本体（11a）に固定するための固定手段（12a）を備えている。
【００２６】
この第５の発明において、上記固定手段（12a）は、上記床板部材（15）を寝台部本体（11a）に対して就寝時に用いられる通常の位置に固定するためのものである。この第５の発明では、上記固定手段（12a）により、上記床板部材（15）が上記寝台部本体（11a）に固定するので、就寝者がマットレス（13）の上で就寝する際に、上記床板部材（15）が動くことがない。
【００２７】
第６の発明は、第１の発明において、上記支持部材（12,28）は、上記寝台部本体（11a）の頭側から脚側へ向かう方向に延びるように寝台部本体（11a）の両側部に設けられて上記床板部材（15）の両側端部を支持する一対の桟（12）で構成されている。
【００２８】
この第６の発明では、上記床板部材（15）の両側端部を上記一対の桟（12）に沿ってスライドさせることにより、上記床板部材（15）を進退させる。
【００２９】
第７の発明では、第１の発明において、上記支持部材（12,28）は、上記寝台部本体（11a）に設けられて上記床板部材（15）の下面と接して回転するローラ（28）で構成されている。
【００３０】
この第７の発明では、上記床板部材（15）を進退させる際、上記ローラ（28）が床板部材（15）の移動に伴って回転し、該床板部材（15）が円滑に進退する。
【発明の効果】
【００３１】
上記第１の発明によれば、上記寝台部（11）において、マットレス（13）を載置するための床板部材（15）を進退自在としたために、床板部材（15）を寝台部本体（11a）に対して寝台部（11）の脚側へ移動させることにより、マットレス（13）をヘッドボード（20）から容易に離隔させることができる。つまり、ベッド本体（10）には、空調装置（50）が収納されているために、寝台部（11）及びヘッドボード（20）の少なくとも何れか一方は、重量が非常に重くなっているが、ベッドメーキングの際に、この重い寝台部（11）又はヘッドボード（20）を移動させることなく、マットレス（13）の四側面全てを容易に露出させることができるので、ベッドメーキングを容易且つ円滑に行うことができる。また、ベッドメーキングの際に、空調装置（50）が移動しないので、該空調装置（50）の配線接続などが切断される虞がない。
【００３２】
また、ベッドメーキングが終われば、床板部材（15）を寝台部本体（11a）に対して寝台部（11）の頭側の方向へ移動させ、就寝時に用いられる通常の位置に容易に戻すことができる。
【００３３】
また、上記第２の発明によれば、少なくとも上記脚側空調手段（51）を上記寝台部（11）に収納するようにしたために、上記寝台部（11）の重量は非常に重くなるが、ベッドメーキングの際に、この非常に重い寝台部（11）全体を移動させることなく、上記床板部材（15）を移動させることにより、マットレス（13）をヘッドボード（20）から容易に離隔させることができる。
【００３４】
また、上記第３の発明によれば、上記ヘッドボード（20）に頭側空調手段（60）を収納するようにしたために、寝台部（11）に加えてヘッドボード（20）の重量も非常に重くなるが、ベッドメーキングの際には、この非常に重い寝台部（11）全体又はヘッドボード（20）を移動させることなく、上記床板部材（15）を移動させることにより、マットレス（13）をヘッドボード（20）から容易に離隔させることができる。
【００３５】
更に、ヘッドボード（20）内の上記頭側空調手段（60）と寝台部（11）内の脚側空調手段（51）とが配線接続されている場合であっても、ヘッドボード（20）と寝台部（11）とを離隔させることがないので、配線の接続が切断される虞がない。
【００３６】
また、上記第４の発明によれば、上記寝台部本体（11a）と上記ヘッドボード（20）とを一体に固着するようにしたために、上記寝台部（11）全体を上記ヘッドボード（20）から離隔することができないが、ベッドメーキングの際に、上記床板部材（15）を移動させることにより、マットレス（13）をヘッドボード（20）から容易に離隔させることができる。
【００３７】
また、上記第５の発明によれば、上記ベッド本体（10）は、上記床板部材（15）を寝台部本体（11a）に固定するための固定手段（12a）を備えるようにしたために、上記床板部材（15）を寝台部本体（11a）に対して就寝時に用いられる通常の位置に固定することができる。これにより、就寝者がマットレス（13）を介して床板部材（15）の上で横臥する際に、床板部材（15）が動くことがないので、就寝時の快適性及び安全性が向上する。
【００３８】
また、上記第６の発明によれば、上記支持部材（12,28）を、上記床板部材（15）の両側端部を支持する一対の桟（12）で構成したために、上記床板部材（15）の両側端部を、上記一対の桟（12）に沿ってスライドさせることにより、上記床板部材（15）を円滑に進退させることができる。
【００３９】
また、上記第７の発明によれば、上記支持部材（12,28）をローラ（28）で構成したために、上記床板部材（15）を進退させる際、ローラ（28）が回転するので、上記床板部材（15）をより円滑に進退させることができる。
【発明を実施するための最良の形態】
【００４０】
以下、本発明の実施形態を図面に基づいて詳細に説明する。
【００４１】
《発明の実施形態１》
図１〜図３に示すように、本実施形態の空調装置付きベッド（1）は、就寝者の頭側及び脚側の空気調和を行う空調装置付きベッドであって、ベッド本体（10）と天蓋（40）と空調装置（50）とを備えている。
【００４２】
〈ベッドの構成〉
ベッド本体（10）は、図１及び図２に示すように、寝台部（11）と該寝台部（11）の頭側の端部に立設するヘッドボード（20）とを備えている。
【００４３】
（寝台部）
上記寝台部（11）は、図１及び図２に示すように、寝台部本体（11a）と、本発明の特徴である床板部材（15）と、該床板部材（15）を支持する一対の桟（12）とを備え、略直方体の扁平な台状に形成されている。
【００４４】
上記寝台部本体（11a）は、横方向の両側部が突出した横断面コ字状の台状に形成されている。上記寝台部本体（11a）の突出した左右両側の上端には、寝台部（11）の頭側から脚側まで延びる細長い両側天板（17）が配置され、相対的に凹んだ内側の上端には、寝台部（11）の頭側から脚側まで延びる矩形状の内側天板（16）が配置されている。上記内側天板（16）と上記両側天板（17）との間には、鉛直方向に延びる段差側板（16a）が配置されている。また、上記両側天板（17）には、就寝者の脚側に対応する位置に脚側給気口（18）が形成される一方、上記内側天板（16）の脚側端部には、脚側吸込口（19）が形成されている。
【００４５】
上記床板部材（15）は、上記寝台部本体（11a）よりも一回り小さい矩形の板状に形成されて、上記寝台部本体（11a）の左右の段差側板（16a）の間に、一対の桟（12）を介して配置されている。
【００４６】
具体的に、上記一対の桟（12）のそれぞれは、断面Ｌ字型に形成され、上記寝台部本体（11a）の上記内側天板（16）の両側端部と段差側板（16a）に対応して上記寝台部本体（11a）の頭側から脚側へ向かう方向に延びるように寝台部本体（11a）に取り付けられている。このように、上記桟（12）は、上記床板部材（15）の下面の両側端部及び両側面と接して上記床板部材（15）を支持している。つまり、上記床板部材（15）の下面は上記内側天板（16）に接しておらず、内側天板（16）の上方に該桟（12）の板厚分の空間を介して配置されている。
【００４７】
上記床板部材（15）は、上記桟（12）に支持された状態で、上面が上記両側天板（17）の上面と略同一平面状に位置している。また、上記床板部材（15）は、上記ヘッドボード（20）と当接し、上記内側天板（16）の上記脚側吸込口（19）が、上記床板部材（15）より露出している。
【００４８】
上記床板部材（15）の上には、就寝者が横臥するためのマットレス（13）が配置されている。具体的に、上記マットレス（13）は、上面視が上記床板部材（15）と略同じ大きさに形成され、上記床板部材（15）と四隅が重なるように配置されている。つまり、上記マットレス（13）の頭側の端部も、床板部材（15）と同様に、ヘッドボード（20）に当接している。上記マットレス（13）にはシーツ（13a）が掛けられている。具体的に、該シーツ（13a）は、マットレス（13）の上面と四側面とを覆い、マットレス（13）の下方に折り込まれている。
【００４９】
また、上記寝台部本体（11a）は、上記床板部材（15）の固定手段（12a）を備えている。該固定手段（12a）は、上記床板部材（15）が就寝時に用いられる通常の位置から移動することを防止するためのものである。具体的に、上記内側天板（16）には、床板部材（15）の脚側端部に対応した位置に孔部（12b）が形成されており、上記固定手段（12a）は、該孔部（12b）に入出自在に構成されている。上記固定手段（12a）が、孔部（12b）から出ている状態では、上記床板部材（15）を脚側の方向へ移動させるような力が働いても、固定手段（12a）が障害となって上記床板部材（15）が動くことを防止する。また、上記固定手段（12a）が上記孔部（12b）に入った状態では、床板部材（15）が脚側の方向へ移動する際の障害がなくなり、床板部材（15）の固定が解除される。
【００５０】
（ヘッドボード）
上記ヘッドボード（20）は、上記ヘッドボード（20）は、図４に示すように、ボード本体（20a）とダクト部材（30）とを備えている。
【００５１】
上記ボード本体（20a）は、前面板（21）と背面板（22）と上面板（25）と下面板（24）と２枚の側面板（23）とを備え、横長の扁平な矩形状の箱形に形成されている。上記前面板（21）には、第１通風グリル（21a）が設けられ、上記背面板（22）の両側には、第２通風グリル（22a）が設けられている。また、上記各側面板（23）の下部には、第３通風グリル（23a）が設けられている。
【００５２】
上記ダクト部材（30）は、上記ボード本体（20a）内において、上記第１通風グリル（21a）の後方に配置され、後述する頭側空調ユニット（60a）の下部ケーシング（70a）に載置されている。上記ダクト部材（30）は、頭側空調ユニット（60a）の調和空気（SA1）を導くためのものであり、頭側給気口（32a）及び頭側吸込口（33b）が形成されている。
【００５３】
具体的に、該ダクト部材（30）は、前面が開口し、側面視台形状の扁平な横長の矩形体に形成され、背板（36）と左右の側板（35）と該左右の側板（35）との間に設けられる上側板（31）下側板（33）とを備えている。また、上側板（31）と下側板（33）と間に仕切板（32）が設けられている。
【００５４】
上記頭側給気口（32a）は、上記仕切板（32）の中央部に横長の長方形状に形成され、上記頭側吸込口（33b）は、上記下側板（33）の両側部に略正方形状に形成されている。上記上側板（31）の下面には、上記頭側給気口（32a）に対応した位置に、風向板（31a）が取り付けられている。また、上記下側板（33）の中央部に頭側中間給気口（33a）が形成されており、上記仕切板（32）と上記下側板（33）との間には、上記下側板（33）の上記頭側吸込口（33b）と上記頭側中間給気口（33a）とを区画し且つ該頭側中間給気口（33a）と上記頭側給気口（32a）とを連通させる連通板（34）が形成されている。
【００５５】
〈天蓋の構成〉
上記天蓋（40）は、図３に示すように、カーテン（47）と該カーテン（47）を吊す天井部材（43）と該天井部材（43）を支持紐（42）を介して支持する支持部（41）とを備えている。
【００５６】
上記支持部（41）は、湾曲した棒状に形成され、一端がヘッドボード（20）のボード本体（20a）の上面板（25）の右側に固定され、他端が寝台部（11）の中央部上方に位置している。また、上記支持部（41）の他端には、支持紐（42）を保持する保持部（41a）が設けられている。
【００５７】
上記天井部材（43）は、天井枠（44）と天井蓋（45）とを備えている。上記天井枠（44）は、環状に形成され、上記支持部（41）の保持部（41a）に保持された４本の支持紐（42）を介して上記支持部（41）に垂下されている。なお、天井枠（44）を支持部（41）により支持する方法は、特に限定されず、連結棒などを介して支持するようにしてもよい。上記天井蓋（45）は、上記天井枠（44）と同じ大きさの外周を有する円形状に形成され、上記天井枠（44）の上に配置されて天井枠（44）内部を閉塞している。
【００５８】
上記カーテン（47）は、横方向に長い布材であり、上端側が、上記天井部材（43）の天井枠（44）にカーテンフックなどを介して吊されている。一方、上記カーテン（47）の下端側は、寝台部（11）の両側及び脚側の側面とヘッドボード（20）のボード本体（20a）の上面板（25）と側面板（26）の前面側とに接するように、ベッド本体（10）の周縁部まで延びている。
【００５９】
このように、上記天蓋（40）は、ベッド本体（10）において、寝台部（11）の上方を覆って就寝者が就寝する就寝空間（14）を形成している。
【００６０】
〈空調装置の構成〉
図１及び図２に示すように、上記空調装置（50）は、上記ベッド本体（10）に収納されて、上記就寝空間（14）の空気調和を行うものであり、頭側空調手段（60）と脚側空調手段（51）とコントローラ（80）とを備えている。
【００６１】
（頭側空調手段）
上記頭側空調手段（60）は、図５及び図６に示すように、頭側空調ユニット（60a）と上記ヘッドボード（20）のダクト部材（30）とを備え、就寝者の頭側の空気調和を行うものである。
【００６２】
上記頭側空調ユニット（60a）は、図１及び図２に示すように、ヘッドボード（20）のボード本体（20a）に収納されている。上記頭側空調ユニット（60a）は、図５及び図６に示すように、頭側ケーシング（70）と頭側空調系統（61）とを備えている。
【００６３】
上記頭側ケーシング（70）は、上記ボード本体（20a）の内部において、上記ダクト部材（30）の下方の空間に配置される下部ケーシング（70a）と、両側方に位置するダクトケーシング（70b）とからなり、背面パネル（71）、前面パネル（72）、２つの側面パネル（73）、下面パネル（74）、２つのカバーパネル（76）及び上面パネル（75）を備えている。
【００６４】
上記下部ケーシング（70a）は、ボード本体（20a）の下部に収納され、内部に頭側空調系統（61）が収納されており、下面パネル（74）の下面には脚部（74a）が設けられている。上記ダクトケーシング（70b）は、下部ケーシング（70a）の両側部の上方に設けられ、側面パネル（73）の上部とカバーパネル（76）とによって形成されている。そして左右のダクトケーシング（70b）の間には、下部ケーシング（70a）に載置された状態で、ダクト部材（30）が設けられている。
【００６５】
上記背面パネル（71）の上部の両側には、上記背面板（22）の第２通風グリル（22a）対応した位置に排熱側吸込口（71a）が形成され、該吸込口（71a）にはフィルタ等が配置されている。上記側面パネル（73）の下部には、上記側面板（23）の第３通風グリル（23a）に対応した排熱側吹出口（73a）が形成されている。
【００６６】
上記上面パネル（75）は、上記ダクト部材（30）の下側板（33）と略同じ形状に形成され、中央に上記下側板（33）の頭側中間給気口（33a）に対応する第１頭側開口（75a）が、両側に上記下側板（33）の頭側吸込口（33b）に対応する第２頭側開口（75b）がそれぞれ形成されている。
【００６７】
上記頭側ケーシング（70）では、下部ケーシング（70a）内の上面パネル（75）の鉛直下方の空間が利用側通路（83）を構成し、上記下部ケーシング（70a）内の両側部及び上記ダクトケーシング（70b）内の空間が排熱側通路（84）を構成している。
【００６８】
上記頭側空調系統（61）は、２つの頭側熱源ユニット（90）と頭側ファン（95）と２つの排熱側ファン（96）とを備えている。
【００６９】
上記各頭側熱源ユニット（90）は、いわゆるペルチェ素子である熱電素子（91）を備えている。該各熱電素子（91）は、上面パネル（75）の両端から鉛直下方に延びるように配置され、上記利用側通路（83）と排熱側通路（84）とを区画している。また、上記熱電素子（91）では、該利用側通路（83）に面した熱面が冷却面（91a）、排熱側通路（84）に面した熱面が加熱面（91b）となるように構成されている。
【００７０】
上記頭側熱源ユニット（90）では、上記熱電素子（91）の冷却面（91a）に利用側熱交換部（92）が、加熱面（91b）に排熱側熱交換部（93）が設けられている。つまり、上記利用側熱交換部（92）は、上記利用側通路（83）における上面パネル（75）の第２頭側開口（75b）の下方に配置され、上記排熱側熱交換部（93）は、排熱側通路（84）側に配置されている。上記利用側熱交換部（92）及び排熱側熱交換部（93）の詳細については、図示を省略するが、熱電素子（91）の各熱面と同じ大きさに形成されて該熱電素子（91）を挟み込む台座と各台座から突出した複数のフィン群とをそれぞれ備えている。
【００７１】
また、上記各頭側熱源ユニット（90）と上記下面パネル（74）の間には、蒸散板ユニット（94）が配置されている。該蒸散板ユニット（94）は、ドレン回収部（94a）と蒸散部（94b）とを備えている。上記ドレン回収部（94a）は、利用側熱交換部（92）の下方に配置され、該利用側熱交換部（92）で発生したドレンを回収するものである。上記蒸散部（94b）は、複数の蒸散板（94d）を備えている。該蒸散板（94d）は、吸収部材を多孔質状で波形のシート状に形成にしたものであり、上記ドレン回収部（94a）で回収されたドレンを吸収するものである。上記蒸散板（94d）は、上記排熱側熱交換部（93）の下方において、背面パネル（71）から前面パネル（72）にかけて前後に並ぶように配置されている。また、上記ドレン回収部（94a）と蒸散部（94b）との間には、板状の仕切部（94c）が設けられている。上記仕切部（94c）は、頭側熱源ユニット（90）の熱電素子（91）の下方に位置し、上記利用側通路（83）と排熱側通路（84）とを区画している。また、上記蒸散板ユニット（94）では、ドレン回収部（94a）と蒸散部（94b）とが、下端部で連通し、ドレン回収部（94a）で回収されたドレンが、蒸散板（94d）の下端から吸収される。
【００７２】
上記頭側ファン（95）は、利用側通路（83）における各利用側熱交換部（92）の間に配置されている。一方、上記排熱側ファン（96）は、排熱側通路（84）における蒸散板ユニット（94）の蒸散部（94b）と排熱側吹出口（73a）の間に設けられている。このように、上記頭側ケーシング内では各機器（90,95,96）が横方向に並ぶように配置されている。
【００７３】
また、側面パネル（73）には、該排熱側ファン（96）の上方に断熱材（78）が取り付けられている。該断熱材（78）は、上記排熱側熱交換部（93）と側面パネル（73）の間に介在して排熱側熱交換部（93）の熱が頭側ケーシング（70）外に伝わらないようにするためのものである。なお、頭側ケーシング（70）では、各パネル（71,72,73,74）の内側に、このような頭側ケーシング（70）の内外での熱の出入りをを遮断する断熱材が適宜配置されている。
【００７４】
（脚側空調手段）
上記脚側空調手段（51）は、図１及び図２に示すように、寝台部（11）に収納されており、脚側空調ユニット（51a）と寝台部本体（11a）に形成された脚側吸込口（19）と脚側給気口（18）とを備え、就寝者の脚側の空気調和を行うものである。
【００７５】
上記脚側空調ユニット（51a）は、寝台部本体（11a）内の就寝者の脚側に対応した位置で且つ脚側吸込口（19）の鉛直下方の空間より頭側よりに配置され、図７に示すように、脚側ケーシング（52）と脚側空調系統（53）とを備えている。
【００７６】
上記脚側ケーシング（52）は、該寝台部本体（11a）の幅方向に長く、上記寝台部本体（11a）内において一方の脚側給気口（18）から他方の脚側給気口（18）まで延びる扁平な箱形に形成されている。上記脚側ケーシング（52）には、上面の両端部に凸部（52a）が形成され、該凸部（52a）の上面が上記寝台部本体（11a）の脚側給気口（18）の位置に対応している。また、上記脚側ケーシング（52）には、第１脚側開口（52b）及び第２脚側開口（52c）が形成されている。上記第１脚側開口（52b）は、上記凸部（52a）の上面全体に形成され、上記脚側給気口（18）と対応しており、上記第２脚側開口（52c）は、上記脚側ケーシング（52）の脚側端部側の側面の中央に、横に長い長方形状に形成されている。
【００７７】
上記脚側空調系統（53）は、脚側ファン（55）と２つの電熱ヒータ（54）とを備えている。該電熱ヒータ（54）は、通電されることにより、空気を加熱するものである。上記各電熱ヒータ（54）は、脚側ケーシング（52）内において、上記第１脚側開口（52b）の内側に配置されている。また、上記脚側ファン（55）は、上記各電熱ヒータ（54）の間に配置されている。
【００７８】
（コントローラ）
上記コントローラ（80）は、上記ベッド本体（10）の就寝者における頭側の温度が脚側の温度より低くなる温度分布が形成されるように、上記空調装置（50）の運転動作を制御するものであり、図１に示すように、例えば、上記ヘッドボード（20）の上部に収納されている。
【００７９】
具体的に、上記コントローラ（80）は、ベッド本体（10）における就寝者の脚側の温度が設定温度Ｔ（例えば、３０℃）となるように、脚側空調手段（51）の制御を行う一方、就寝者の頭側が上記設定温度Ｔより所定温度Δｔ（例えば、４℃）低い所定の低温度（Ｔ−Δｔ）（例えば、２６℃）となるように、頭側空調手段（60）の制御を行うように構成されている。
【００８０】
なお、就寝者の頭側及び脚側の温度は特に限定されず、更に、就寝者の就寝中に設定温度Ｔ及び所定温度Δｔを任意に変化させてもよいし、ヘッドボード（20）の前面板（21）に設定ボタン等を設けて、就寝者がこれらの温度を適宜設定するようにしてもよい。
【００８１】
−空調運転動作−
次に、上記空調装置付きベッド（1）の運転動作について、図５〜図８に基づいて説明する。
【００８２】
就寝者が、上記ベッド（1）の天蓋（40）のカーテン（47）を開けて、就寝空間（14）で就寝を開始すると、上記コントローラ（80）は、就寝者の就寝の開始を検知して自動的に、又は就寝者の入力によって空調装置（50）の制御を開始する。これにより、頭側空調ユニット（60a）では、熱電素子（91）の通電及び各ファン（95,96）の駆動が開始され、脚側空調ユニット（51a）では、電熱ヒータ（54）の通電及び脚側ファン（55）の駆動が開始され、該各空調手段（60,51）により就寝空間（14）の空気調和が行われる。
【００８３】
就寝空間（14）における就寝者の頭側では、図８に示すように、就寝空間（14）の空気（RA1）が、上記ヘッドボード（20）の第１通風グリル（21a）を介してダクト部材（30）の頭側吸込口（33b）から吸い込まれる。吸い込まれた空気（RA1）は、図５及び図６に示すように、上面パネル（75）の第２頭側開口（75b）を通って頭側空調ユニット（60a）の利用側通路（83）に導入され、頭側熱源ユニット（90）の利用側熱交換部（92）を通過して冷却され、所定の低温度（Ｔ−Δｔ）の頭側調和空気（SA1）に生成される。該頭側調和空気（SA1）は、頭側ファン（95）を通過し、上面パネル（75）の第１頭側開口（75a）及びダクト部材（30）の頭側中間給気口（33a）を通って仕切板（32）の頭側給気口（32a）から就寝者の頭側空間へ上方に向かって流出する。流出した上記頭側調和空気（SA1）は、図８に示すように、上記就寝者の頭側の上方から下方に広がるように流れ、上記ダクト部材（30）の頭側吸込口（33b）から再び吸い込まれる。このように、就寝者の頭側では、頭側給気口（32a）と頭側吸込口（33b）との間で頭側調和空気（SA1）のショートサーキット領域が形成され、就寝者の頭側は、所定の低温度（Ｔ−Δｔ）に保たれる。
【００８４】
また、上記頭側空調ユニット（60a）の排熱側通路（84）では、就寝空間（14）外の空気（OA）が、上記ボード本体（20a）の背面板（22）の第２通風グリル（22a）を介して排熱側吸込口（71a）から取り込まれ、上記排熱側熱交換部（93）で加熱処理される。加熱された空気（OA）は、蒸散板ユニット（94）の蒸散板（94d）の間を流れ、該蒸散板（94d）が吸収したドレンを蒸散させる。その後、該空気（OA）は、蒸散させたドレンの水蒸気と共に排熱側ファン（96）を通って排熱側吹出口（73a）から流出し、ヘッドボード（20）の側面板（23）の第３通風グリル（23a）から流出する。
【００８５】
一方、就寝空間（14）における就寝者の脚側では、図８に示すように、就寝者の脚側の空気（RA2）が脚側吸込口（19）から吸い込まれる。吸い込まれた脚側の空気（RA2）は、図７に示すように、脚側空調ユニット（51a）の脚側ケーシング（52）の側面に形成された第２脚側開口（52c）から脚側ケーシング（52）内に取り込まれる。取り込まれた脚側空気（RA2）は、上記脚側ファン（55）を通過し、電熱ヒータ（54）を通って加熱され、設定温度Ｔの脚側調和空気（SA2）に生成される。上記脚側調和空気（SA2）は、上記脚側ケーシング（52）の第１脚側開口（52b）を介して寝台部（11）の脚側給気口（18）から流出し、図８に示すように、内側に向かって上昇した後に中央部で互いに衝突して下降し、上記脚側吸込口（19）に再び吸い込まれる。なお、脚側調和空気（SA2）が内側に向かって上昇するのは、図３の天蓋（40）のカーテン（47）の内側面に沿って上昇するためである。このように、就寝者の脚側では、脚側給気口（18）と脚側吸込口（19）との間で脚側調和空気（SA2）のショートサーキット領域が形成され、就寝者の脚側は、設定温度Ｔに保たれる。
【００８６】
以上のように、就寝空間（14）では、就寝者における頭側の温度が脚側の温度より低い人体の部位別の快適性に適した「頭寒足熱」の温度分布を形成する空気調和が行われる。
【００８７】
−ベッドメーキング時の動作−
次に、本発明の特徴であるベッドメーキング時の動作について、図９に基づいて説明する。ベッドメーキングは、図３で示した天蓋（40）のカーテン（47）が開いた状態で行われる。
【００８８】
先ず、ベッドメーキングの作業者などにより、上記固定手段（12a）が、上記内側天板（16）に形成された孔部（12b）に収納され、上記床板部材（15）の固定が解除される。
【００８９】
次に、上記作業者などにより、該床板部材（15）の脚側端部が把持されて該床板部材（15）を上記寝台部本体（11a）に対して上記寝台部（11）の脚側の方向に引き出す力が加えれると、該床板部材（15）は、上記桟（12）に沿ってスライドして寝台部（11）の脚側に円滑に移動する。これにより、マットレス（13）がヘッドボード（20）のボード本体（20a）から離隔され、マットレス（13）の四側面全てが露出した状態となる。
【００９０】
この状態において、上記作業者などにより、マットレス（13）の使用済みのシーツ（13a）が剥離され、代わりに、新しいシーツ（13a）がマットレス（13）の上面及び四側面全てを覆うように掛けられて、マットレス（13）の下方に折り込まれる。そして、マットレスの四側面全てが露出しているので、シーツ（13a）を剥がす作業や、シーツ（13a）を掛けて折り込む作業が円滑に行われる。なお、該シーツ（13a）のマットレス（13）の覆い方は例示であって、特に限定されない。
【００９１】
ベッドメーキング終了後、上記作業者などにより、上記床板部材（15）を上記寝台部本体（11a）に対して上記寝台部（11）の頭側の方向に押す力が加えられると、該床板部材（15）は、上記桟（12）をスライドして移動し、ヘッドボード（20）に当接した就寝時に用いられる通常の位置に配置される。そして、固定手段（12a）が上記孔部（12b）から引き出され、床板部材（15）が、寝台部本体（11a）に固定される。
【００９２】
−実施形態１の効果−
上記空調装置付きベッド（1）では、マットレス（13）を載置するための床板部材（15）が、一対の桟（12）に沿ってスライドし、上記寝台部本体（11a）に対して寝台部（11）の頭側から脚側へ向かう方向に進退自在に移動するようにしたために、床板部材（15）を容易に寝台部（11）の脚側へ移動させることにより、マットレス（13）をヘッドボード（20）から容易に離隔することができる。このように、マットレス（13）の四側面全体を容易に露出させることができるので、ベッドメーキング作業の円滑化を図ることができる。
【００９３】
つまり、上記空調装置付きベッド（1）では、寝台部（11）とヘッドボード（20）に空調手段（51,60）が収納されているため、該寝台部（11）全体及びヘッドボード（20）とが非常に重くなるが、マットレス（13）の四側面全体を露出させるために、この非常に重い寝台部（11）全体又はヘッドボード（20）を移動させる必要がない。
【００９４】
また、ベッドメーキングが終われば、床板部材（15）を寝台部本体（11a）に対して就寝者の頭側の方向へ移動させ、容易に就寝時に用いられる通常の位置に戻すことができる。
【００９５】
また、寝台部本体（11a）は、上記床板部材（15）の固定手段（12a）を備えるようにしたために、上記床板部材（15）が就寝時に用いられる通常の位置から移動することを防止することができる。これにより、就寝者がマットレス（13）を介して床板部材（15）の上で横臥する際に、床板部材（15）が動くことがないことから、就寝時の快適性及び安全性が向上する。
【００９６】
−実施形態１の変形例−
上記実施形態１では、頭側及び脚側の空調手段（60,51）の空調ユニット（60a,51a）が互いに配線接続されていてもよい。このような場合であっても、ベッドメーキング時に、ヘッドボード（20）と寝台部（11）全体とを離隔することがないので、空調ユニット（60a,51a）間の配線接続が切断される虞がないことから、空調装置（50）の信頼性が向上する。
【００９７】
また、各空調手段（60,51）の空調ユニット（60a,51a）が、ベッド（1）が設置された室内の電源などに配線接続されていてもよい。このような場合であっても、ベッドメーキング時に、ヘッドボード（20）と寝台部（11）全体とを移動させることがないので、空調ユニット（60a,51a）と室内電源との配線接続が切断される虞がないことから、空調装置（50）の信頼性が向上する。
【００９８】
また、上記ヘッドボード（20）と上記寝台部本体（11a）とを一体に固着していてもよい。つまり、ヘッドボード（20）のボード本体（20a）が、上記前面板（21）の下部において、上記寝台部本体（11a）の頭側の端部側面と、ボルトなどで連結されることにより、一体に固着されていてもよい。このように、ヘッドボード（20）と寝台部（11）全体とが離隔できない構成であっても、床板部材（15）を移動させることにより、マットレス（13）をヘッドボード（20）から容易に離隔させることができる。
【００９９】
また、寝台部本体（11a）の内側天板（16）は、寝台部本体（15a）の頭側から脚側に延びるように配置されていたが、寝台部本体（11a）の脚側端部のみに配置されていてもよい。つまり、内側天板（16）は、床板部材（15）が就寝時に用いられる状態において、床板部材（15）の下方に配置されなくてもよい。これにより、床板部材（15）が、桟（12）に沿って移動すると、脚側空調ユニット（51a）が露出するので、脚側空調ユニット（51a）のメンテナンスなどを容易に行うことができる。なお、この場合、桟（12）は上記段差側板（16a）のみに取り付るようにすればよい。
【０１００】
また、上記固定手段（12a）は、就寝時に、床板部材（15）が移動しないように固定するものであったが、上記空調装置付きベッド（1）は、上記固定手段（12a）に加え、ベッドメーキング時に床板部材（15）を所定位置で固定する固定手段をも備えるようにしても良い。これにより、ベッドメーキング時に、床板部材（15）が移動することがないことから、ベッドメーキングの作業性が更に向上する。
【０１０１】
《発明の実施形態２》
本実施形態は、上記実施形態１の空調装置付きベッド（1）が、床板部材（15）を一対の桟（12）で進退自在に支持したことに代わり、図１０に示すように、上記床板部材（15）を、該床板部材（15）の下面と接して回転するローラ（28）により支持するようにしたものである。
【０１０２】
具体的に、上記寝台部本体（11a）には、上記ローラ（28）の回転軸（29）が、横方向に水平に延びるように、一端及び他端が左右の段差側板（16a）に固定されている。上記ローラ（28）は、円筒形の軸中心に貫通孔（28a）を備えており、該貫通孔（28a）に上記回転軸（29）貫通させている。このように、上記ローラ（28）は、回転軸（29）を中心とし、寝台部（11）の頭側の方向と脚側の方向とに回転自在に構成されている。
【０１０３】
そして、ベッドメーキング時には、ベッドメーキングの作業者などにより、該床板部材（15）の脚側端部が把持されて該床板部材（15）を上記寝台部本体（11a）に対して上記寝台部（11）の脚側の方向に引き出す力が加えれると、上記ローラ（28）は、床板部材（15）の移動方向に回転するので、床板部材（15）を円滑に移動させることができる。この状態において、マットレスの四側面全てが露出した状態となり、マットレスのシーツ（13a）交換などのベッドベーキング作業が行われる。
【０１０４】
ベッドメーキング終了後、上記作業者などにより、上記床板部材（15）を上記寝台部本体（11a）に対して上記寝台部（11）の頭側の方向に押す力が加えられると、上記ローラ（28）は、床板部材（15）の移動方向に回転するので、床板部材（15）を円滑に移動させることができる。そして、床板部材（15）は、ヘッドボード（20）に当接した就寝時に用いられる通常の位置に配置され、固定手段（12a）により寝台部本体（11a）に固定される。
【０１０５】
本実施形態の空調装置付きベッド（1）では、上記床板部材（15）をローラ（28）で支持したために、床板部材（15）が進退自在に移動する際に、上記ローラ（28）が、床板部材（15）と同じ方向に回転するので、該床板部材（15）を円滑に移動させることができる。
【０１０６】
−実施形態２の変形例−
上記実施形態２では、ローラ（28）を全体に亘って設けたが、図１１に示すように、の上記床板部材（15）の下面の両側端部と接するように設けてもよい。
【０１０７】
また、上記実施形態２では、ローラ（28）は、床板部材（15）の移動に伴って回転したが、自動的に回転するようにしてもよい。この場合、例えば、回転軸（29）とローラ（28）とが一体に回転するような構成とし、上記回転軸（29）は、段差側板（16a）に支持されながらモータに接続されて回転するようにしてもよい。
【０１０８】
《その他の実施形態》
上記実施形態については、以下のような構成としてもよい。
【０１０９】
上記各実施形態では、空調装置付きベッド（1）が天蓋（40）を備え、空調装置（50）により空気調和が行われる就寝空間（14）を周囲の空間と区画し、該就寝空間（14）を快適な空調環境に維持していたが、空調装置付きベッド（1）は、天蓋（40）の代わりに、幌布を備えた幌式の覆い部材で覆ってもよい。更に、上記空調装置付きベッド（1）は、このような覆い部材を備えていなくてもよい。
【０１１０】
また、上記各実施形態では、頭側空調手段（60）及び脚側空調手段（51）を、ヘッドボード（20）及び寝台部（11）にそれぞれ収納したが、共に寝台部（11）に収納してもよい。また、各空調手段（60,51）の熱源などの具体的な構成は、特に限定されない。
【０１１１】
また、上記各実施形態では、床板部材（15）を矩形の板状に形成したが、床板部材（15）には、すのこやウッドスプリングなどを用いてもよい。
【０１１２】
また、上記実施形態１では、上記固定手段（12a）が、寝台部本体（11a）に設けられていたが、床板部材（15）、支持部材（12）、ヘッドボード（20）に設けられていてもよい。例えば、ヘッドボード（20）のボード本体（20a）の前面板（21）に、床板部材（15）の頭側を固定する固定手段を設けてもよいし、床板部材（15）の脚側や頭側や両側部などに寝台部本体（11a）やヘッドボード（20）に係合する固定手段（12a）を設けてもよい。
【０１１３】
また、上記各実施形態では、支持部材（12,28）を一対の桟（12）又はローラ（28）で構成したが、支持部材を内側天板（16）とし、上記床板部材（15）が内側天板（16）に直接支持されながら、引き出されたり、押されたりして移動するようにしてもよい。また、支持部材には、床板部材（15）の下面に接して、寝台部本体（11a）の頭側及び脚側に配置されるベルト車に支持されて進退自在に移動するベルトなどを用いることもできる。
【０１１４】
なお、以上の実施形態は、本質的に好ましい例示であって、本発明、その適用物、あるいはその用途の範囲を制限することを意図するものではない。
【産業上の利用可能性】
【０１１５】
以上説明したように、本発明は、空調装置付きベッドについて有用である。
【図面の簡単な説明】
【０１１６】
【図１】実施形態１に係る空調装置付きベッドの天蓋を除いた状態を示す斜視図である。
【図２】実施形態１に係る空調装置付きベッドの天蓋を除いた状態を示す図であり、（ａ）が側面視、（ｂ）が上面視である。
【図３】実施形態１に係る空調装置付きベッドの天蓋のカーテンを閉めた状態を示す斜視図である。
【図４】実施形態１に係るヘッドボードの構成を示す斜視図である。
【図５】実施形態１に係る頭側空調手段の構成と運転動作中の空気の流れとを示す図であり、（ａ）が前面パネルとカバーパネルを取り外した状態における前面視、（ｂ）が側面視である。
【図６】実施形態１に係る頭側空調手段の構成と運転動作中の空気の流れとを示すダクト部材と頭側空調ユニットとを分解した分解斜視図である。
【図７】実施形態１に係る脚側空調ユニットの構成及び運転動作中の空気の流れを示す図であり、（ａ）が内部構造を示す上面視、（ｂ）が寝台部の脚側端部から視た側面視である。
【図８】実施形態１に係る空調装置付きベッドの運転動作中の頭側及び脚側の空気の流れを示す斜視図である。
【図９】実施形態１に係る空調装置付きベッドのベッドメーキング時の動作を示す側面視である。
【図１０】実施形態２に係る空調装置付きベッドの天蓋を除いた状態を示す図であり、（ａ）が側面視、（ｂ）が上面視である。
【図１１】実施形態２の変形例に係る空調装置付きベッドの天蓋を除いた状態を示すが上面視である。
【符号の説明】
【０１１７】
10      ベッド本体
11      寝台部
11a     寝台部本体
12      桟（支持部材）
12a     固定手段
13      マットレス
15      床板部材
15b     下面
20      ヘッドボード
28      ローラ（支持部材）
50      空調装置
51      脚側空調手段
60      頭側空調手段
【図１】
2007244425.tif 000003
【図２】
2007244425.tif 000004
【図３】
2007244425.tif 000005
【図４】
2007244425.tif 000006
【図５】
2007244425.tif 000007
【図６】
2007244425.tif 000008
【図７】
2007244425.tif 000009
【図８】
2007244425.tif 000010
【図９】
2007244425.tif 000011
【図１０】
2007244425.tif 000012
【図１１】
2007244425.tif 000013